Podtech/llm-jp-corpus-v4-ja_patent huggingface dataset:
(57)【要約】      （修正有）【課題】運動会等のイベントで使用する万国旗を会場に設営する場合や収納時の作業効率を改善するとともに、保管スペースも少なくする万国旗巻き取り機を提供する。【解決手段】ボビン型の巻き取り機を水平方向に回転させ、ボビン１の巻き取り部３の上端部４に近い部分を使用してロープ８を巻き取ることにより、旗９が下方に垂れ下がった状態で折り重なることなく巻き取ることができ、ロープの絡まりも防ぐことができる。設営時にはロープの一端を持ち順次引き出すことで万国旗の吊り下げ作業を整然と短時間で行うことができる。【選択図】図３
0003180725.tif 000002
【実用新案登録請求の範囲】
【請求項１】
ボビン型の巻き取り機を回転軸がほぼ鉛直になるように置き台上に配置し、万国旗がほぼ等間隔で繋がれたロープを、巻き取り部の上端部付近で水平方向に巻き取ることを特徴とする万国旗巻き取り機。
【考案の詳細な説明】
【技術分野】
【０００１】
本考案は、運動会等のイベントで使用する万国旗を保管場所からの取り出し、会場での設営、取り外し、収納の各作業を効率よく行うための道具に関するものである。
【背景技術】
【０００２】
従来は、ロープにほぼ等間隔で繋がれた万国旗を一枚一枚手作業で束ねて段ボール箱に保管し、使用時には一方の端を引き出して絡まりをほぐしながら全体を延ばしたあと吊り下げていた。
【特許文献１】特開平７−３１１５５８号公報
【特許文献２】特開２００６−２８０３１２号公報
【考案の開示】
【考案が解決しようとする課題】
【０００３】
運動会等のイベントで使用する万国旗を会場に設営する場合や収納時の作業効率を改善するとともに、保管スペースも少なくする。
【課題を解決するための手段】
【０００４】
ボビン型の巻き取り機を水平方向に回転させ、ボビンの上端部付近を使用してロープを巻き取ることにより、旗が下方に垂れ下がった状態で折り重なることなく巻き取ることができ、ロープの絡まりも防ぐことができる。
【０００５】
設営時にはロープの一端を持ちボビンを回転させながら順次引き出すことで、万国旗の吊り下げ作業を整然と短時間で行うことができる。
【考案の効果】
【０００６】
巻き取り機に装着したままで保管し、そのままの状態で次回の作業を始めることができるので、従来行っていた一枚一枚の折りたたみ作業を省略することができ、又省スペースを実現することができた。
【図面の簡単な説明】
【０００７】
【図１】本巻き取り機の平面図である。
【図２】本巻き取り機の側面図である。
【図３】本巻き取り機の使用例を示す説明図である。
【符号の説明】
【０００８】
１    ボビン
２    回転軸
３    巻き取り部
４    上端部
５    下端部
６    置き台
７    把持部
８    ロープ
９    旗
【図１】
0003180725.tif 000003
【図２】
0003180725.tif 000004
【図３】
0003180725.tif 000005
(57)【要約】      （修正有）【課題】寝返りをしても頬に皺が発生しない様に頬が当たる部分の枕部分をカットした皺防止美容枕を提供する。【解決手段】仰向け姿勢から横向き姿勢になった時、頬が当たる枕の左右部分１１をカット除去する。カットした部分１１より頭側面、頬側面がずり落ちない様に曲面状凸部１２を枕上側部に、左右に設けた皺防止美容枕。【選択図】図１
0003180710.tif 000002
【実用新案登録請求の範囲】
【請求項１】
枕の中央仰向け姿勢から横向き姿勢になった時、顔が当たる枕の部分をカット除去し、カットした部分より頭側面、，顔側面がずり落ちないように、曲面図状凸部を枕上側部左右に設けた皺防止美容枕。
【考案の詳細な説明】
【技術分野】
【０００１】  本考案は横向き寝返り睡眠中に枕による種々の皺の発生を防止する美容枕である。
【背景技術】
【０００２】  従来の枕は磁気枕、指圧枕、そばがら、又ソフトパイプを入れた枕と色々あるがその目的は安眠枕、快眠枕が目的であり、この様な枕を使用して、横向き姿勢で眠った場合頭、顔の重みにより頬が枕に沈み頬に種々の皺、大きくは豊麗線が生じるので、横向き姿勢には適さない枕であった。
【考案の概要】
【考案が解決しようとする課題】
【０００３】  中年以降に目立ちはじめる豊麗線は顔では一番大きな皺で加齢線ともいわれる。従来の枕では寝返りをして顔が横向きになった時、枕の脹らみによって頬が膨らみ、その圧迫によって頬に皺が生じたり、またみずからの頬の脹らみが枕との圧迫によっても種々の皺が生じていた、何度も皺に加齢現象が重なると、本皺になる、従って従来の枕は横向きには適さない枕であった。
【課題を解決する為の手段】
【０００４】  本考案は以上の課題を解決すべく従来の枕を改善し、寝返りをしても頬に皺が発生しない様に頬が当たる部分の枕部分をカットした美容枕を堤供する事を目的とするる
【０００５】  本考案は仰向けの中央部の頭の位置より寝返りをして、頭が９０°回って横向き姿勢になった時、頬が当たる枕の部分をカット徐去しているので、頬に発生する皺の原因はなくなる，又横向きになった時、頭側面、頬側面が枕の左右カットした部分から，ずり落ちない様に枕の上側左右に曲面状凸部を設けている。
【０００６】  以上に於いて本考案の枕は左右対弥、として構成されている。
【考案の効果】
【０００７】  本考案は高齢者に多い頬の種々の皺の発生を防止する皺防止美容枕である。
【図面の簡単な説明】
【０００８】
【図１】  本考案の枕を使用した横向き状態の平面図、中央部は一部枕の内部を表す。
【図２】  図１のＡ矢印より見た本考案枕のみの側面図。
【図３】  図１のＢ矢印より見た本考案枕の側面図、一部内部１３丸窪みを表す。
【図４】  図１のＡ矢印よりみた、本考案の使用状態を表す側面図。
【図５】  従来の枕を使用した側面図。
【本考案を実施するための形態】
【０００９】  以下本考案の実施例について説明する。本考案は枕１０の中奥部内部に設けられた弾性材からなる。その１３丸窪みに仰向け時に頭をのせて睡眠中、自然に安眠を求めて横向き状態になった時その状態の位置は頭が直角に回って耳が下になるが、頭巾の長さが必要としその位置に於いて頭側面と額側面を支える、１２、１２’曲面状凸部ストッパーとなり頭側面及び額側面は安定される、図４示す様に首は１４首支え部によって首筋にピッタリと安定し、頭側面及び額側面は枕より、ずれ落ちることはない。
又頬が枕に当たって圧迫すれば１６豊麗線や種々の皺等が発生するが、頬に当たる枕１１，１１’をカット除去したので、頬に皺は発生する事はない美容枕である。
【符号の説明】
【００１０】１０  本考案に係る枕。
１１  １１’  頬が当たる従来の枕部分をカット徐去した部分を表している。
１２  １２’  は曲面状凸部。
１３  枕中内部に設けた丸窪み。
１４  首支枕部。
１５  従来の枕
１６  豊麗線又種々の皺。
１７  従来の枕の脹らみ。
【図１】
0003180710.tif 000003
【図２】
0003180710.tif 000004
【図３】
0003180710.tif 000005
【図４】
0003180710.tif 000006
【図５】
0003180710.tif 000007
(57)【要約】      （修正有）【課題】自動車の座席前方の内壁下部に、小型のポケットを設け、そこに車内に持ち込んだ傘の先を入れ、走行中に傘先が乱雑に動くのを防ぐことができる様にした自動車内の傘先入れを提供する。【解決手段】自動車の座席前方の内壁３の下部の壁面に沿って上方と後方が開いている小型のポケット２を設ける。そのポケットに車内に持ち込んだ傘の先を差し入れてから傘を座席横に置くことにより傘の先が位置決めされ、走行中に傘の先が乱雑に動くのが防止される。特に運転席では傘の先が乱雑に動いてアクセルペタル４の操作の妨げになる危険を防止するのに役立つ。【選択図】図１
0003180706.tif 000002
【実用新案登録請求の範囲】
【請求項１】
自動車の座席前方の内壁下部に壁面に沿って上方と後方あるいは後方のみが開いている小型のポケットを設けることを特徴とする自動車内の傘先入れ。
【考案の詳細な説明】
【技術分野】
【０００１】  本考案は自動車内の座席前方の内壁下部に壁に沿って、後方と上方あるいは後方のみが開いている小型のポケットを設けた自動車内の傘先入れに関するものである。
【背景技術】
【０００２】  雨天の際、自動車内に持ち込んだ傘は置き場所に困り、車内の空席や座席横などに適当に置いている。  運転席でも座席横などに適当に置いている。
【考案の概要】
【考案が解決しようとする課題】
【０００３】  車内に持ち込み適当に置いた傘は、走行中、振動などにより乱雑になり困る。  特に運転席では傘を座席の横などに適当に置くと傘の先はアクセルペタルの近くに横たわることになり、走行中、乱雑に動いて運転のペタル操作の妨げになる危険がある。
【課題を解決するための手段】
【０００４】  本考案は自動車の座席前方の内壁下部に壁に沿って、後方と上方あるいは後方のみが開いている小型のポケットを設けるものであり、車内に持ち込んだ傘の先をそのポケットに差し入れてから傘を座席横に置くことにより傘の先が位置決めされ、走行中、傘の先が乱雑に動くのが防止され課題を解決している。
【考案の効果】
【０００５】  上述のように自動車内に持ち込んだ傘の先を座席前方の内壁下部に設けたポケットである本考案の自動車内の傘先入れに差し入れてから傘を座席横に置くことにより傘の先が位置決めされる。  それにより走行中、傘の先が乱雑に動くことが防止され、特に運転席では傘の先が乱雑に動いてペタル操作の妨げになる危険が防止される。  その際、傘を防水袋に入れることにより周囲の水濡れをなくすことが可能であり、また、傘固定用支持具あるいは結束用具などを座席横に設けて傘を更に固定することが可能である。
ポケットの開口部は後方と上方が開いているのが傘の先を入れやすいが、後方のみが開いている場合でも同様の効果を得ることが可能である。
【図面の簡単な説明】
【０００６】
【図１】  本考案の自動車内の傘先入れとして、運転席前方の内壁下部に後方と上方が開いているポケットを設けた実施例を示すイラスト図である。
【考案を実施するための形態】
【０００７】  本考案の自動車内の傘先入れは座席前方の内壁下部に壁面に沿って、耐久性のプラスチックその他の板状の素材を組み付けて、後方と上方が開いているポケットを設けたものである。  板状の素材の形状としては平板、網目状など様々な形状のものを使用することが可能であり、その大きさは通常の傘の先が容易に入る程度で、走行中の振動などで傘の先が飛び出たり抜け出たりしない程度のコンパクトなものがよい。  自動車製造のさいに設ける場合は内壁と一体成形することが可能であり、コスト、機能、美観上優れている。
【実施例】
【０００８】  以下、添付図面に従って本考案の自動車内の傘先入れを運転席前方の実施例について説明する。  座席前方の３内壁下部に１上方と後方が開いている２ポケットを設ける。
５は自動車床、４はアクセルペタル、７はブレーキペタル、６はボンネットオープナー  ９はハンドル、８は自動車扉である。【０００９】  本考案の実施例は上述の如き構成からなるものであり、雨天の際、車内に持ち込んだ傘の先を上述のポケットに差し入れたのち傘を座席横に置く。  それにより自動車内で傘の先が位置決めされ、走行中に乱雑に動かなくなる。  運転席の場合、乱雑に動いた傘の先がペタル操作の妨げになる危険が防止される。【００１０】  上述の実施例は運転席前方の本考案の自動車内の傘先入れについて説明したものであるが、他の座席についても同形態のものを設けることにより傘が乱雑になるのを防止する効果がある。
【符号の説明】
【００１１】      １  自動車の内壁下部に設けたポケットの開口部
２  自動車の内壁下部に設けたポケット
３  自動車の内壁
４  アクセルペタル
５  自動車の床
６  ボンネットオープナー
７  ブレーキペタル
８  自動車の扉
９  ハンドル
【図１】
0003180706.tif 000003
【手続補正書】
【提出日】平成24年10月24日(2012.10.24)
【手続補正１】
【補正対象書類名】明細書
【補正対象項目名】０００５
【補正方法】変更
【補正の内容】
【０００５】  上述のように自動車内に持ち込んだ傘の先を座席前方の内壁下部に設けたポケットである本考案の傘先入れに差し入れてから傘を座席横に置くことにより傘の先が位置決めされる。  それにより走行中、傘の先が乱雑に動くことが防止され、特に運転席では傘の先が乱雑に動いてペタル操作の妨げになる危険が防止される。  その際、傘を防水袋に入れることにより周囲の水濡れをなくすことが可能であり、また、傘固定用支持具あるいは結束用具などを座席横に設けて傘を更に固定することが可能である。ポケットの開口部は後方と上方が開いているのが傘の先を入れやすいが、後方のみが開いている場合でも同様の効果を得ることが可能である。また、ポケットの前方に自動車の内壁があるときは前方が開いている場合でも同様の効果を得ることが可能である。
(57)【要約】【課題】人工降雨抑制方法を提供することを目的とする。【解決手段】太陽光の降り注ぐ雲の上から、酸化コバルト（ＩＩ）ナノ粒子を散布し、雲を消滅させる人工降雨抑制方法。【特許請求の範囲】
【請求項１】
太陽光の降り注ぐ雲の上から、酸化コバルト（ＩＩ）ナノ粒子を散布し、雲を消滅させる人工降雨抑制方法。
【発明の詳細な説明】
【技術分野】
【０００１】本発明は、降雨を人工的に抑制させる方法に関する。
【背景技術】
【０００２】近年の地球温暖化により台風が巨大化し、局地的なゲリラ豪雨なども発生件数が増加傾向にあり、そうした自然災害を抑制するのに資するもの。
【先行技術文献】
【０００３】なし
【発明の概要】
【発明が解決しようする課題】
【０００４】人工降雨抑制方法を提供することを目的とする。
【課題を解決するための手段】
【０００５】太陽光の降り注ぐ雲の上から、酸化コバルト（ＩＩ）ナノ粒子を散布し、雲を消滅させる人工降雨抑制方法。
【発明の効果】
【０００６】人工的に降雨を抑制する。
【発明を実施するための形態】
【０００７】飛行機やヘリコプターなどの航空機もしくは気球などから、雲に向かい、酸化コバルト（ＩＩ）ナノ粒子を散布する。
雲の成分は水である。酸化コバルト（ＩＩ）ナノ粒子と光が水と接触すると、水はほとんどすぐに２：１の割合で水素と酸素に分離する。
特に近年多発している巨大台風に対して、勢力を抑制することを重点目的とする。
【産業上の利用可能性】
【０００８】巨大台風やゲリラ豪雨の勢力を抑制し、人命救助、家屋とインフラと自然の災害を防ぐ。
【手続補正書】
【提出日】令和3年1月19日(2021.1.19)
【手続補正１】
【補正対象書類名】特許請求の範囲
【補正対象項目名】請求項１
【補正方法】変更
【補正の内容】
【請求項１】
太陽光の降り注ぐ雲の上から、酸化コバルト（ＩＩ）ナノ粒子を散布し、雲を消滅させる人工降水抑制方法。
【手続補正２】
【補正対象書類名】明細書
【補正対象項目名】全文
【補正方法】変更
【補正の内容】
【発明の詳細な説明】
【技術分野】
【０００１】  本発明は、降水を人工的に抑制させる方法に関する。
【背景技術】
【０００２】  近年の地球温暖化により台風が巨大化し、局地的なゲリラ豪雨なども発生件数が増加傾向にあり、そうした自然災害を抑制するのに資するもの。
積雪を抑制することにより、積雪の被害を抑制するのも。
その他、降水に関する被害の全てを、抑制するもの。
【発明の概要】
【発明が解決しようとする課題】  人工降水抑制方法を提供することを目的とする。
【課題を解決するための手段】太陽光の降り注ぐ雲の上から、酸化コバルト（ＩＩ）ナノ粒子を散布し、雲を消滅させる人工降水雨抑制方法。
【発明の効果】  人工的に降水を抑制する。
【発明を実施するための形態】
飛行機やヘリコプターなどの航空機もしくは気球などから、雲に向かい、酸化コバルト（ＩＩ）ナノ粒子を散布する。
雲の成分は水である。酸化コバルト（ＩＩ）ナノ粒子と光が水と接触すると、水はほとんどすぐに２：１の割合で水素と酸素に分離する。
特に近年多発している巨大台風に対して、勢力を抑制することを重点目的とする。
毎年冬に甚大の被害が発生する積雪を抑制して、雪国を中心に経済損失を抑制することを目的とする。
【国際調査報告】
2021535354.tif 000002
2021535354.tif 000003
(57)【要約】  固形物を検査するために探傷装置の読み出し情報及びデジタル化信号を解読する方法は、使用目的に応じて、固形物の非破壊検査中に生成される探傷装置の読み出し情報またはデジタル化信号の形式のデータを、機械可読形式、人間可読形式、または制御コマンドに変換する役割を果たす。【特許請求の範囲】
【請求項１】
固形物を検査するために探傷装置の読み出し情報及びデジタル化信号を解読する方法であって、解読することは、振幅周波数及びスペクトル特性に関するマークされたデータで事前訓練されたニューラルネットワークによって実行され、前記固形物の要求特徴の有無についての人間可読応答もしくは機械可読応答、または相互検証方法によって確認される前記要求特徴の有無に起因して制御コマンドを取得することを可能にすることを特徴とする、方法。
【発明の詳細な説明】
【技術分野】
【０００１】
本発明は、固形物の非破壊検査の分野に関する。
【背景技術】
【０００２】
固形物の非破壊検査に関する多くの既知の方法があるが、現在、その使用は、複雑な解読アルゴリズムまたはプロセスへのヒトの関わりの必要性によって制限されている。
【発明の概要】
【０００３】
提案された解決策では、このタスクは、まず、ニューラルネットワークによって、機械学習方法に基づいて解決される。検査から生じるデジタル信号（１）は、検査の対象となった特徴を判定するためにマークされる情報エリアに分類される（２）。その後、要求特徴の特性は、ニューラルネットワークによって計算される。訓練の品質をテストする目的のために、デジタル信号のマークされた情報エリアは、テストの読み出し情報を使用してテストされる。そのテストは、デジタル信号が伝送されるテストされた訓練済ニューラルネットワークで行われ（３）、要求特徴の有無のメッセージは、デバイスまたはユーザに要求される形式で、別のインターフェースによって戻される（４）。ニューラルネットワークの追加訓練は、訓練の品質を継続的に改善する目的のために、ユーザによる解読結果の評価によって実行される（５）。行われる認識の品質は相互検証方法によって評価される。
【図面の簡単な説明】
【０００４】
【図１】固形物を検査するために探傷装置の読み出し情報及びデジタル化信号を解読する方法の実施のスキーム図である。
【図１】
2021522527.tif 000002
【国際調査報告】
2021522527.tif 000003
2021522527.tif 000004